Podtech/llm-jp-corpus-v4-ja_patent huggingface dataset:
(57)【要約】【課題】狭い場所であっても作業性が良いものであるエッジカバー材を提供するもので、押圧という一般的な作業により挿着することができるエッジカバー材を提供することをその課題とするものである。【解決手段】障害物に対応して切欠した幕板等の切欠端部５を保護或いはカバーするエッジカバー材において、基板１の先端部を裏面に折り返し中空隆起凸条部２を形成し、折り返し端部を基板１面に近接せしめ弾性押さえ片３とすると共に弾性押さえ片３には案内部４を形成してなるものである。【選択図】図１
2007291679.tif 000002
【特許請求の範囲】
【請求項１】
障害物に対応して切欠した幕板等の切欠端部を保護或いはカバーするエッジカバー材において、基板の先端部を裏面に折り返し中空隆起凸条部を形成し、折り返し端部を基板面に近接せしめ弾性押さえ片とすると共に弾性押さえ片には案内部を形成してなるエッジカバー材。
【発明の詳細な説明】
【技術分野】
【０００１】
本発明は、障害物に対応して切欠した幕板等の切欠端部を保護或いはカバーするエッジカバー材に関するものである。さらに詳しくは、基板の先端部を裏面に折り返し中空隆起凸条部を形成し、折り返し端部を基板面に近接せしめ弾性押さえ片とすると共に弾性押さえ片には案内部を形成してなるエッジカバー材に関するものである。
【背景技術】
【０００２】
従来からエッジカバー材として、特許文献１に示す如く、Ｌ型アングル状の金属材を断面略三角形状に屈曲してなる構造のものが知られている。この従来のエッジカバー材は幕板の切欠された端面に挿着され該エッジカバー材の底面が梁（障害物）の表面に接するように移動させることにより、幕板と梁との間に生じた間隙を塞ぐようにしたものである。
【特許文献１】特開２００５−３６９８７号公報  （図１、要約）
【発明の開示】
【発明が解決しようとする課題】
【０００３】
上記従来のエッジカバー材はＬ型アングル状の金属材を断面略三角形状に屈曲してなる構造のものであり、幕板の切欠された端面に挿着する作業性にあまり考慮が払われていないものであった。特に狭い場所での作業性についての考慮は不十分なものであった。本発明は狭い場所であっても作業性が良いものであるエッジカバー材を提供することをその課題とするものである。
【課題を解決するための手段】
【０００４】
上記課題を解決するために、本発明に係るエッジカバー材は、請求項１に記載した如く、障害物に対応して切欠した幕板等の切欠端部を保護或いはカバーするエッジカバー材において、基板の先端部を裏面に折り返し中空隆起凸条部を形成し、折り返し端部を基板面に近接せしめ弾性押さえ片とすると共に弾性押さえ片には案内部を形成してなるエッジカバー材である。
【発明の効果】
【０００５】
請求項１に記載のエッジカバー材は、基板の先端部を裏面に折り返し中空隆起凸条部を形成してなるために弾性が大であり、弾性押さえ片に十分な弾性を保持せしめることができる。又、弾性押さえ片には案内部を形成してなるために幕板等の切欠端部を案内部前方より押圧すれば案内部に案内され弾性押さえ片下に入り弾性押さえ片と基板との間に挟着されることになる。このために目視により確認しつつ作業を行う必要がなく作業性が良いものである。
【発明を実施するための最良の形態】
【０００６】
以下、本発明の実施形態について図面を参照して、詳細に説明する。図１は本発明のエッジカバー材の実施例を示す斜視図、図２は図１に示す実施例の使用状態を示す断面図、図３は本発明の異なった実施例の斜視図、図４は図３に示す実施例の使用状態を示す断面図である。図１において、１は基板、２は中空隆起凸条部、３は弾性押さえ片、４は案内部である。
【０００７】
基板１は先端部を裏面（商品としては裏面側）に折り返して中空隆起凸条部２を形成し、折り返し端部を基板１に近接せしめて弾性押さえ片３を形成する。弾性押さえ片３の先端には案内部４が形成されている。中空隆起凸条部２は弾性押さえ片３の弾性を大きくするものである。弾性押さえ片３の先端には案内部４は斜め上方に立ち上げた案内片で形成されている。案内部４は図２に示す如く、幕板等の切欠端部５を案内部４前方より押圧するだけで弾性押さえ片３を押し上げ弾性押さえ片３と基板１との間に挟着されることになる。
【０００８】
図３において、６は基板、７は中空隆起凸条部、８は弾性押さえ片、９は案内部である。この実施例では基板６は先端部を裏面に折り返して中空隆起凸条部７を形成するが折り返し端部が弾性押さえ片８を構成し、而も弾性押さえ片８を中空隆起凸条部７内に巻き込むことにより弾性押さえ片８外面を案内部９としてなるものである。
【０００９】
図４は図３に示すエッジカバー材の実施例を幕板等の切欠端部１０に使用した状態を示すもので、案内部９前方より幕板等の切欠端部１０を押圧すると案内部９に案内され弾性押さえ片８と基板６により挟着されることになる。このためにこのエッジカバー材では面倒な作業をすることなくエッジカバー材を容易に挿着することができるものである。
【図面の簡単な説明】
【００１０】
【図１】本発明にかかるエッジカバー材の実施例の斜視図。
【図２】図１に示す実施例の使用状態の断面図。
【図３】本発明にかかるエッジカバー材の異なった実施例の斜視図。
【図４】図３に示す実施例の使用状態の断面図。
【符号の説明】
【００１１】
１、６        基板
２、７        中空隆起凸条部
３、８        弾性押さえ片
４、９        案内部
５、１０      幕板等の切欠端部
【図１】
2007291679.tif 000003
【図２】
2007291679.tif 000004
【図３】
2007291679.tif 000005
【図４】
2007291679.tif 000006
(57)【要約】      （修正有）【課題】電波、電磁波から身を守り、少子化を防ぐ。【解決手段】グローバル化となった世の中を復権させるには老若男女を問わず、水晶体等電波、電磁波を屈折させ媒質する物質を身に纏い防備する事が必要である。繊維復権を考慮して遮蔽布（織物の横糸をナノメッキ染色加工して織り上げる）を下着等に加工し絋金する。パソコン等を操作する部屋には大きな水晶体を台に置き、電波、電磁波を屈折させる。【選択図】なし【特許請求の範囲】
【請求項１】
電波、電磁波から身を守り、少子化を防ごうとするものです。
【請求項２】
宇宙ステーションから強力な電波が地球人に伝わり、地上では携帯電話の中継塔が方々に立ち並び、成人する前に携帯電話を持ち始め電波、電磁波が人間の体に入り込み悪影響を与えていると思われ、男女共に精子卵子が弱く子供が生まれにくくなっているのだと思われる。
【発明の詳細な説明】
【発明の詳細な説明】
【０００１】  現在、後進国では少子化問題があまり目立ってはいないが、国の発展と共に電波、電磁波の影響が出始めてくると思われ体に浸透しない物質を身に纏う事が必要です。
【発明に属する技術分野】
【０００２】  目に入ってくる光等を屈折させて鋼膜に像をつくる働きをする水晶体を身に纏い、腹部を保護する。女性のガードル下着に付着させる。男性も同じで精子を強く育てる事ができる。
【背景技術】
【０００３】  現在、ＩＴ産業等が盛んになり体への悪影響にも気付かずパソコン等を使用し、家庭内の電化製品一切までが電波、電磁波で一杯である。屋外に出れば自動車のリモコン始動、会社に行けば自動ドアが待っている現状です。
【発明が解決しょうとする課題】
【０００４】  ３０年前頃は、Ｘ線のレントゲン撮影は身体に良くない、生涯に一度位と聞いていたが、今では一丁した事でもレントゲンを掛け治療に役立てているのが現状で、レントゲン技師等の身体は蝕まれているはずである。
【課題を解決するための手段】
【０００５】  電波、電磁波から身を守りながら食生活にも気を付けなければいけない。防腐剤、添加剤、着色剤等と口に合うだけの甘味料等で人間の身体が危なくなっている。日本人には、やはり和食生活が重要であろう。高齢化に比べ、若者の短命説も言われている今日、将来性のある若者達を守らなければと思う。
【解決の材料として】
【０００６】  水晶の鉱山から切り出した原料を粒状にし、大きい玉は部屋に、小さい玉はガードル等下着に付着させ媒質する。
(57)【要約】【課題】  この発明は、ミニスカートの下に履くスパッツを、靴を脱がずに容易に着脱出来るためのものである。【解決手段】  スパッツ▲１▼の胴上部位▲イ▼よりスパッツ▲１▼の両脚の裾下部位▲ロ▼に掛けて、各々にファスナー▲２▼を設ける。ファスナーの取付け上部に、マジックテープ付き押接片▲３▼を設ける。これに依りファスナーを引き下げれば前部分が全開放されるので速やかな着脱が可能である。【選択図】図１
2007291587.tif 000002
【特許請求の範囲】
【請求項１】
スパッツ▲１▼の胴上部位▲イ▼よりスパッツ▲１▼の両脚の裾下部位▲ロ▼に掛けて、各々にファスナー▲２▼を設けて、ファスナー▲２▼の取付け上部に、マジックテープ付きの押接片▲３▼を有するファスナー付スパッツ。
【発明の詳細な説明】
【発明の詳細な説明】
【技術分野】
【０００１】  この発明は、女子高校生のミニスカートの下に履くスパッツの着脱を容易にするためのファスナー付スパッツに関するものである。
【背景技術】
【０００２】  従来よりスパッツはあったが、靴を履いたままでの着脱は困難であった。寒い日や、特に自転車通学生の登下校は大変である。防寒のためミニスカートの下にスパッツを履きたいと言う要望があった。
【発明が解決しようとする課題】
【０００３】  したがって防寒対策として、スパッツを着用したくても着脱の面倒さや不便を克服出来ずにあった。本案はこの欠点を解決するためのものである。
【課題を解決するための手段】
【０００４】  発明の構成を説明すると、
（イ）スパッツ▲１▼の胴上部位▲イ▼よりスパッツ▲１▼の両脚の裾下部位▲ロ▼に掛けて、各々ファスナー▲２▼を設ける。
（ロ）ファスナーの取付け上部にマジックテープの付いた押接片▲３▼を設ける。
【発明を実施するための最良の形態】
【０００５】  以上の構成であるから、例えばミニスカートの下にファスナー付スパッツを履いて登校時、校門の手前で、ミニスカートの中に手を入れて、ファスナーを引き下ろす事に依りスパッツの前部分が全開放されて、あまり人目にふれずに素早くスパッツを引き外す事が出来るのである。また装着する時はロッカーやトイレ内で簡単に履く事が出来る利便性がある。
【発明の効果】
【０００６】  冬の寒い日や、寒冷地の女子高校生も暖かく登下校する事が出来る。見た目にもすっきりしてファッシヨン性に優れている。盗撮や痴漢などの防御にもなる。
【図面の簡単な説明】
【図１】    本発明の斜視図。
【図２】    本発明の使用斜視図。
【図３】    本発明の使用（全開放）斜視図。
【符号の説明】
１  スパッツ。
２  ファスナー。
３  マジックテープ付き押接片。
イ  スパッツの胴上部位。
ロ  スパッツの裾下部位。
【図１】
2007291587.tif 000003
【図２】
2007291587.tif 000004
【図３】
2007291587.tif 000005
(57)【要約】【課題】屋根に積もった雪を人力ではなく、屋根の傾斜で自然落下する雪下ろし自然落下シートを提供する。【解決手段】屋根表面に脱着可能な固定テープを装着固定し、一方の自然落下シートに装着固定する。屋根表面の固定テープとシート側の固定テープを合体装着させて、屋根表面に降った雪を自然落下させる、屋根と自然落下シートの組み合わせで雪が自然に落下する、自然落下雪下しシート【選択図】図２
2007291820.tif 000002
【特許請求の範囲】
【発明の詳細な説明】
【技術分野】
【０００１】  本発明は、屋根に積もった雪を自然落下させるものである。
【背景技術】
【０００２】  従来は、屋根表面に積もった雪下ろしは人力で行っていた。
【発明の開示】
【発明が解決しようとする課題】
【０００３】  そのために次のような問題点があった。
（イ）人間が屋根に上がり、積もった雪を人力で雪下ろしをしていた。
（ロ）お年寄りなどは、非常に危険で屋根から落ちて毎年何十人何百人の死亡者や大怪我をする人、または屋根に積もった雪が下にいる人に落下し、雪の下敷きになり大怪我をする。毎年、雪の犠牲者が多かった。
本発明は、以上の問題点を解決するためになされたものである。
【課題を解決するための手段】
【０００４】屋根表面に積もった雪を自然落下させるために、脱着可能なマジックテープまたはモール等の片面を屋根表面に装着固定する。
もう一方は自然落下シート表面が、少々の雪が積もっても屋根の少しの傾斜で屋根の雪が自然落下する材質のビニールシートまたはプラスチック。
樹脂系を使用したシート表面に、脱着可能なマジックテープ、モール等を装着固定する。
屋根表面に装着固定したマジックテープまたはモール等と、もう一方の自然落下シートに装着固定したマジックテープ、モール等を合体装着させ固定し、屋根全体に自然落下シートを被せた状態となり、風雪に耐え、屋根表面に降った雪は屋根の傾斜により自然に落下する。
屋根と一体となる、自然落下シートである。
【発明の効果】
【０００５】  人力で屋根の雪下ろしをする必要がなく、屋根の傾斜で雪が自然落下する。
雪下ろしのために死亡事故、怪我をする犠牲者がなくなる雪・自然落下シートである。
【発明を実施するための最良の形態】
【０００６】  以下、本発明の実施の形態について説明する。
（イ）屋根（１）の表面に脱着可能なマジックテープ、モール等（２）を装着固定する。
（ロ）自然落下シート（３）の片側表面に脱着可能なマジックテープ、モール等（２）を装着固定する。
自然落下シート（３）は表面に雪（４）が積もっても屋根（１）の傾斜で自然落下する、耐熱、耐寒、防水、風圧・風雪に耐え、表面が雪を滑りやすいビニールシート。樹脂系プラスチック等の材質の自然落下シート（３）を設ける。
本発明は、屋根（１）と自然落下シート（３）が一体となって効果が出るものである。
（ハ）本発明は、以上のような構造で、これを使用するときは屋根（１）と自然落下シート（３）を屋根表面のマジックテープ、モール等（２）を合体装着固定することにより、風圧に耐え、雪が自然に落下する。
シーズンが終わると取り外し収納できる。
（ニ）自然落下シート（３）の表面に降った雪（４）は屋根の傾斜と自然落下シート（３）の表面が滑りやすいために屋根（１）に降った雪が少し積もっても自然落下する。
【図面の簡単な説明】
【０００７】
【図１】  本発明の斜視図
【図２】  本発明の使用状態を示す全体図
【図３】  本発明の断面拡大図
【符号の説明】
【０００８】  １．屋根
２．固定テープ
３．落下シート
４．雪
【図１】
2007291820.tif 000003
【図２】
2007291820.tif 000004
【図３】
2007291820.tif 000005
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
屋根表面に積もった雪を自然落下させるため、屋根表面に脱着可能な落下シートを装着。屋根の傾斜と落下シート表面が多少積もった雪でもすべりやすいビニールシート、プラスチック等を使用した屋根と落下シートが一体となる、自然落下雪下ろしシートである。
(57)【要約】      （修正有）【課題】簡単、安価な構造で障害物に接触すると停止する安全なゲート装置を提供する。【解決手段】垂直柱１１には縦長のスリッド１３が設けられ、水平柱３１の支持部材３５が嵌合し、該部材にガイドローラー３３と３４が回転自在に取り付けられ、当該ローラーが垂直柱１１の内壁１２に適度な隙間をもち収納され、水平柱３１が上下に移動するとき、ローラー３３、及び３４が内壁１２を転動する。モーター５１で駆動される軸５１１に取り付けられた駆動プーリー５３、および垂直柱１１に回転自在に取り付けられたアイドラープーリー５４にベルト７１が結合し、当該ベルトは水平柱支持部材３５にプレート３２１によりビス３２等で結合している。水平柱が上下動中に障害物にぶつかり、抵抗が増大すると、反力によりスプリング１７、１８が撓み、プレート５９がモーターとともに揺動し、この動きをセンサー１０１が感知しモーター５１の電力供給をストップする。【選択図】図２
2007291818.tif 000002
【特許請求の範囲】
【請求項１】
垂直柱１１に上下方向に可動に取り付けられた水平柱３１が、垂直柱に取り付けられた、電動モーター５１や油圧モーターにより、上下方向に移動するゲート開閉装置。
【請求項２】
水平柱３１が垂直柱１１に車輪３３、３４やスライド部材等によりガイドされることを特徴とした請求項１の開閉装置
【請求項３】
水平柱３１が、モーター５１で駆動されるベルト７１により上下動する請求項１の開閉装置
【請求項４】
水平柱３１の動きの抵抗の反力を弾性体で受けて、弾性体のたわみが所定量に達するモーター５１の駆動エネルギー供給がストップし水平柱３１が停止する請求項１の開閉装置
【請求項５】
駆動モーター５１が、駆動反力を受け、回転方向、又は上下、又は水平方向に移動するように、支持部材に弾性支持したことを特徴とする請求項１の開閉装置
【請求項６】
モーター５１により駆動されるネジ棒５０３と水平柱３１に取り付けられネジ棒５０３に結合するメネジ９１を取り付けた請求項１の開閉装置
【発明の詳細な説明】
【技術分野】
【０００１】  駐車場等のゲートの開閉等に関する装置
【背景技術】
【０００２】  従来の駐車場のゲート等は図１に示すように構造が複雑で、生産コストが高く、設置工事コストも高かった。【０００３】
【特許文献】  特開平９−３２８７２７号公報
【発明の開示】
【発明が解決しようとする課題】
【０００４】  解決すべき課題は簡単で安価なゲート開閉装置の供給が出来ない点である。
【課題を解決するための手段】
【０００５】  垂直柱１１に支持された小型モーター等の駆動装置により、ベルト５３、ネジ棒５０３を駆動することにより、水平柱３１を上下させ、ゲートを開閉する。
【発明の効果】
【００６】
【発明を実施するための最良の形態】
【００７】  モーター軸に取り付けられたプーリー５３でベルト５５を駆動し、水平柱３１を上下させる。水平柱３１が所定以上の抵抗を受けるとその反力によりスプリング１７、１８が弾撓みをセンサ１０１が感知し  駆動モーターの電源を切る。
【実施例１】
【００８】［取り付け部の構造］
図２は、実施例１の構造を示す。垂直柱１１は角チューブ状をなし、一方向に縦長のスリッド１３が設けられている。その溝に水平柱３１の支持部材３５が勘合し、該部材に上下方向に離れたガイドローラー３３と３４が回転自在に取り付けられ、当該ローラーが垂直柱１１の内壁１２に適度な隙間をもち収納されている。
水平柱３１は自重や障害物のためその先端が上下動しようとするが当該ローラーにより、水平に保持される。さらに、水平柱３１が上下に移動するとき、ローラー３３、及び３４が角チューブ内壁１２を転動するため、軽やかに移動可能となる。当該ローラーに替え、摺動部材を配置しても良い。【００９】〔水平柱の上下移動機能〕
垂直柱に取り付けられたモーター５１で駆動される軸５１１に取り付けられた駆動プーリー５３、および垂直柱１１に回転自在に取り付けられたアイドラープーリー５４にベルト７１が結合し、当該ベルトは水平柱支持部材３５にプレート３２１によりビス３２等で結合している。
従って、モーターが回転するとベルトはプーリー５３により駆動され、水平柱３１が上下に移動する。【０１０】〔安全機構および位置調整機構〕
図３においてモーター５１は、垂直柱１１に支持部材１５とともに回転自在に保持され、モーターに取り付けられたプレート５９とスプリング１７及び１８により位置決めされている。水平柱が上下動中、障害物にぶつかり、抵抗が増大したとき、その反力により、スプリング１７、１８が撓み、プレート５９がモーターとともに揺動する。
この動きをセンサー１０１が感知しモーター５１の電力供給をストップする。
このため、装置の破損や、人体がはさまれたばあいの被害を防止できる。障害物が排除されると、反力は消滅し、自動的にモーターの回転が開始される。
そして水平柱が所定の位置に達すると支持部材３５は垂直柱のストッパー１０５又は、１０７により動きを止められる。このため、モーターには大きなトルク反力が働き、上記スプリング１７、１８が撓みセンサー１０１が感知し、モーターの供給電力はカットされる。
当該実施例においてはモーター５１と駆動軸５１１の間にウオーム減速機６１が設けられているため、モーターが停止すると、水平柱３１は重力等の外力が加わっても、その位置に保持される。
【実施例２】
【０１１】  図４は他の実施例２を示す。モーター５０１に取り付けられたネジ棒５０３に勘合する水平柱３１の取り付け部材３３にメネジ９１が取り付けられている。このためモーター５０１の回転により水平軸は上下動できる。
【実施例３】
【０１２】  図５は実施例３を示す。当該実施例は、ゲート用水平部材に鎖１３１を使用した例である。
【発明の効果および他の使用例】
【０１３】  以上のように当該発明は、簡単な安価な構造で、ゲート等の開閉が可能で、水平柱が人体やその他の障害物に接触すると自動的に停止する等の高い安全性と信頼性を有する。
また当該機構は、ゲート開閉装置のみでなく、リフト等の使用に応用可能である。
【図面の簡単な説明】
【００１４】
【図１】従来例のゲート開閉装置である。
【図２】実施例１の図面である。
【図３】実施例１のモーター取り付け部の図面である
【図４】実施例２の図面である。
【図５】実施例３の図面である
【符号の説明】
【００１５】１１  垂直柱
１２  垂直柱内壁
１３  スリッド
１５  モーター支持部材
１７、１８  スプリング
３１  水平柱
３２  ベルト固定ビス
３３  ３４  ガイドローラー
３５  水平柱支持部材
５１  ５０１  駆動モーター
５１１  駆動軸
５３  駆動プーリー
５４  アイドラープーリー
７１  駆動ベルト
５９  スプリング押圧プレート
６１  ウオーム減速機
５０３  ネジ棒
９１  メネジ
１０１、センサー
１３１  鎖
【図１】
2007291818.tif 000003
【図２】
2007291818.tif 000004
【図３】
2007291818.tif 000005
【図４】
2007291818.tif 000006
【図５】
2007291818.tif 000007
(57)【要約】      （修正有）【課題】帯状の極板とセパレータを捲回する捲回形密閉式鉛蓄電池において、捲き初めに起因する内部短絡を抑制する。【解決手段】セパレータ３の幅は正極板および負極板よりも大きく、正極板および負極板のどちらかの巻き初め部の幅寸法がもう片方の極板の巻き初め部の幅寸法よりも大きく、幅が広い極板２の内側に幅の狭い極板１が存在し、巻き始め部において、幅寸法の狭いほうの極板のみが少なくとも１週以上巻き取られていて、幅寸法の狭い方の極板が幅寸法の広い方の極板よりも先に捲回される。【選択図】図２
2007073462.tif 000002
【特許請求の範囲】
【請求項１】
正極板および負極板とがセパレータを介して捲回された電極群を持つ捲回形密閉式鉛蓄電池において、セパレータの幅は正極板および負極板よりも大きく、正極板および負極板のどちらかの巻き初め部の幅寸法がもう片方の極板の巻き初め部の幅寸法よりも大きく、幅が広い極板の内側に幅の狭い極板が存在し、巻き初め部において、幅寸法の狭いほうの極板のみが少なくとも１周以上巻き取られていて、幅寸法の狭い方の極板が幅寸法の広い方の極板よりも先に捲回されることを特徴とする捲回群を有する捲回形密閉式鉛蓄電池。
【発明の詳細な説明】
【技術分野】
【０００１】
本発明は捲回形密閉式鉛蓄電池に関するものである。
【背景技術】
【０００２】
捲回群を有する密閉型鉛蓄電池の電極群は、長尺の正負極板をセパレータを介して捲回された構造をもっている。電極群中心部は曲率が小さく、巻き取った極板がセパレータを突き破り、内部ショートしやすい状況にある。特に、セパレータを薄くして放電特性を向上させる場合、極板の角での内部ショートが非常に多く、高出力化に向けた課題となっている。これを防止するための一般的な方法は、極板の巻き初め部に位置するセパレータを二重にすることや、セパレータにテープ処理を施すことなどがあげられる。また、特許文献１では、極板の巻き初め部に活物質非保持部を設けることが提案されている。
【０００３】
【特許文献１】特開２００２−２０３５８９号公報
【発明の開示】
【発明が解決しようとする課題】
【０００４】
しかしながらセパレータに処理を施す方法は、セパレータを二重にするための装置やテープを貼る為の装置などが必要である。また、特許文献１の方法は、活物質非保持部を作製するための、間欠式の活物質ペーストの充填装置や、あるいは活物質を削る装置などが必要となる。さらには、いずれの方法においても完全には内部ショートを防止できない。例えば、自動車などに搭載されるような振動が加わる環境などでは効果が小さい。
【課題を解決するための手段】
【０００５】
本発明は以上のことを鑑みてなされたものであり、巻き初め部の内部ショートを防止することで、電池の信頼性を格段に向上させることを目的とする。
【０００６】
具体的には、正極板および負極板とがセパレータを介して捲回された電極群を持つ捲回形密閉式鉛蓄電池において、該セパレータの幅は正極板および負極板よりも大きく、正極板および負極板のどちらかの巻き初め部の幅寸法がもう片方の極板の巻き初め部の幅寸法よりも大きく、幅が広い極板の内側に幅の狭い極板が存在し、巻き初め部において、幅寸法の狭いほうの極板のみが少なくとも１周以上巻き取られていて、幅寸法の狭い方の極板が幅寸法の広い方の極板よりも先に捲回されることを特徴とする。
【発明の効果】
【０００７】
本発明による捲回形密閉式鉛蓄電池は、幅寸法の狭い極板がセパレータを突き破った場合、接触する極板は幅寸法の狭い極板自身であり、幅寸法の広い極板が極板角でセパレータを突き破ったとしても、その場所には対向する極板が存在せず、いずれの場合においても、内部ショートが発生することはない。また、このような極板は、連続した充填済み極板を断裁する際に、お互いの寸法を変更することで容易に達成することができる。
【発明を実施するための最良の形態】
【０００８】
以下、本発明を実施例に基づいて詳細に説明するが、本発明は下記実施例に何ら限定されるものではなく、その要旨を変更しない範囲において、適宜変更して実施することができる。
【実施例】
【０００９】
本発明の実施例を以下に説明する。
【００１０】
厚さ０．７ｍｍ×幅８０ｍｍ×長さ６００ｍｍの鉛合金箔から、打ち抜き加工により格子状の長尺の集電体を作製した。
【００１１】
正極板は酸化度７０％の鉛粉と希硫酸とを混練し活物質ペーストを得た後、集電体に充填した。負極板は酸化度７０％の鉛粉に少量の炭素粉末、リグニン、バリウム化合物を加え、希硫酸と混練した後、集電体に充填した。
【００１２】
次にこれら正極板と負極板とをガラス繊維からなるセパレータを介して図１に示すように捲回した。この際、正極板と負極板の幅寸法が同じものを従来例Ａとした。さらに、極板の巻き初め部に位置するセパレータにテープ処理をおこなったものを従来例Ｂ、セパレータを二重になるように貼り合わせたものを従来例Ｃとした。本発明として、図２に示すような鉛合金箔で正極板の巻き初め部の幅を負極板よりも長さ１０ｍｍにわたって５ｍｍ広げ、さらに、負極板のみを１周分巻き取った後に正極板を巻き始めた捲回群を作製した。なお、本実施例では正極板の幅を広くしたが、負極板にしてもよく、幅寸法の狭い方の極板が幅寸法の広い方の極板よりも先に捲回される趣旨を踏まえていれば、どちらを選択するかは電池の設計事項による。また比較例として、特許文献１に記載の方法で巻き初め部に未充填部を有する捲回群を作製した。
【００１３】
上記捲回群を乾燥し、樹脂性の円筒形電槽に挿入し封口する。注液口から希硫酸を所定量加え、通電する電槽化成を経て、公称容量１０Ａｈの捲回形密閉式鉛蓄電池を得た。
【００１４】
電圧の低下量は内部短絡発生の尺度となることから、上記の捲回形密閉式鉛蓄電池を４０℃中で放置し、電圧推移を測定した。その結果を図３に示す。従来例Ａの電圧低下が早く、内部短絡が発生していることを示している。６ヶ月放置後、これらの電池に７Ｇ，３５Ｈｚ，１５時間の振動を加えた。このときの電圧変化を図４に示す。従来例Ａは１時間後には電圧がゼロになった。一方、セパレータにテープ処理をおこなった従来例Ｂ、セパレータを二重にした従来例Ｃ、および比較例は、振動印加して２時間後には電圧がゼロになったのに対し、本発明は電圧が高く、内部短絡が防止されていることが明らかとなった。短絡箇所を明らかにするために、解体調査をおこなったところ、短絡したいずれの電池も巻き初め部における短絡が認められた。本発明では巻き初め部において内部ショートが起こりにくい構造であるため、耐振動性に優れていることが分かる。
【図面の簡単な説明】
【００１５】
【図１】捲回群の断面を示す概略図である。
【図２】本発明の極板およびセパレータの幅寸法の関係を示す図である。
【図３】４０℃で放置中の電圧の推移を示す図である。
【図４】振動を印加中の電圧の推移を示す図である。
【符号の説明】
【００１６】
１  幅が狭い極板（実施例では負極板）
２  幅が広い極板（実施例では正極板）
３  セパレータ，
【図１】
2007073462.tif 000003
【図２】
2007073462.tif 000004
【図３】
2007073462.tif 000005
【図４】
2007073462.tif 000006
(57)【要約】【課題】  従来は、テーブルタップに沢山のコードが差し込んであり、どの電化製品のコードか迷ってしまい、電源を切っては駄目なのを切ってしまった事もあった、また、テープなどで印しを付けていたが、はがれてしまい、痛んで汚くなった。【解決手段】  電化製品の差し込みプラグの方のコードの先に、ふたごポッチコード用を取り付ける、ふたごポッチ製品用は電化製品の見え易い場所に取り付ける、装飾は、電化製品に合わせて変える、電化製品が５つあるのなら５種類のふたごポッチ装飾を使う、種類の違うふたごポッチ装飾を使う事によりコードが沢山あっても間違う事がない。【選択図】図１
2007073488.tif 000002
【特許請求の範囲】
【請求項１】
テーブルタップに沢山のコンセットが差し込んである時、差し込みプラグのコードがどの電化製品から届いているのか解らなくなる、そのため一目で解るようにする装備を特徴とする、ふたごポッチ。
【請求項２】
前記、ふたごポッチは、二つの同じ装飾であり、１つは、差込プラグの方のコードの先に付ける、もう１つの装飾は、電化製品の見やすい所に付ける、二つの同じ装飾を使う事により、どの電化製品か一目で解る、また、装飾を付ける事により電化製品に愛着が湧くことを特徴とする、ふたごぽっち。
【発明の詳細な説明】
【技術の分野】
【０００１】  本発明は、テーブルタップに沢山あるコードがどの電化製品から届いているのか一目で解るようにした、ふたごポッチに関する。
【背景技術】
【０００２】  従来のコードは、テーブルタップなどに沢山のコードがあった場合、どの電化製品から届いているのか解らなくなるのでシールやビニールテープを貼って区別していた。
【発明の開示】
【発明が解決しようとする課題】
【０００３】  以上に述べた従来のコードにシールやビニールテープを貼ったのではシールがはがれた、また、ビニールテープが痛んで汚くなった。【０００４】  本発明は、このような従来の沢山のコードが、どの電化製品から届いているのか一目で解るようにし、永久に使えることを提供する、課題とする。
【課題を解決するための手段】
【０００５】  以上の課題を解決するために、第一発明は、図１−１コードの先に６ふたごポッチコード用を付け、８電化製品に７ふたごポッチ製品用を見やすい所に付けた。【０００６】  第二発明によれば、図２ふたごポッチは、二つ同じ装飾を使い、ふたごポッチコード用は、ナイロンコード止めの上に装飾を設け、差込プラグのコードの先に付ける、ふたごポッチ製品用は両面テープが貼ってあり電化製品の見やすい所に付ける。
【発明の効果】
【０００７】  第一発明、第二発明、によれば、テーブルタップに沢山のコードが差し込まれていても、コードの先と電化製品に同じ装飾があれば一目でコードがどの電化製品から届いているのかが解る。【０００８】  電化製品は愛らしさがない、装飾があれば愛着がわき、お年寄りでも、コードがどの電化製品から届いているかが解る。
【発明の実施するための最良の形態】
【０００９】  以下、本発明の実施の形態を図１〜図２に基づいて説明する。
【００１０】  図１は全体の実施形態であり、図１−１電化製品のコードの先に、６ふたごポッチコード用を取り付けた。
【００１１】  図１−７ふたごポッチ製品用を、８電化製品の見やすい所に両面テープで止めた。
【００１２】  図２は、ふたごポッチで、６ふたごポッチコード用は、コードを挟むようになっている、また、ふたごポッチ製品用の下は両面テープが付いている。
【実施形態の効果】
この実施形態によれば、テーブルタップに沢山コードが差し込んであってもどの電化製品からコードが届いているのかが一目でわかる。
【図面の簡単な説明】
【００１３】
【図１】ふたごポッチを取り付けた全体斜視図である、１コードの先に６ふたごポッチコード用を取り付け、８電化製品に７ふたごポッチ製品用を付けた図である。
【００１４】
【図２】ふたごポッチで、６ふたごポッチコード用は、コードが入り易く丸み帯びてあり、コードを挟むようになっている、また、７ふたごポッチ製品用の裏は１０両面テープが付いてある。
【符号の説明】
【００１５】  １．コードの先
２．コンセット
３．テーブルタップ
４．電化製品コード
５．電源入り切り
６．ふたごポッチコード用
７．ふたごポッチ製品用
８．電化製品
９．差し込みプラグ
１０．両面テープ
【図１】
2007073488.tif 000003
【図２】
2007073488.tif 000004
(57)【要約】      （修正有）【課題】自然界に存在する酸化、還元反応の組み合わせを利用して半永久的に出力の出る半永久電池を提供する。【解決手段】食塩水２の入ったプラスチックセル１の中に、鉄板３、銅版４を入れ、リ−ド線５を出してこの間に負荷またはボルトメ−タ−、アンペアメ−タ−を繋ぎ、直流の電力でこのセルでは４０ミリワットの出力を確認し、鉄板３等の食塩水２への溶出がわずかなので、半永久的な電池を得ることができる。【選択図】図１
2007073493.tif 000002
【特許請求の範囲】
【請求項１】
プラスチック等の非電導性の容器の中に適当量の食塩を入れた水を入れ、容器の中に鉄板と銅版を接触しない様にしたし、両方の極からリ−ド線を出して真中で負荷を繋ぐと電気的働きが発生する。この電力は数ヶ月以上続き電力を発生し続ける。この電力は鉄が少しずつ溶出し、その余った電子を銅電極で溶存酸素及び水が奪って水酸イオンと成り、電気のル−プが発生する事によるものだが、鉄の溶出が少しなので、事実上、ある程度いつまででも電力が得られる。このセルを直列、並列に積層して、電圧、電流を大きくして実用に使える電池とし、鉄板及び銅板を両電極とし、水道水に食塩を入れ水の電導度を大きくし、ほとんど半永久的に使う事が出来る事を特徴とする半永久電池。
【発明の詳細な説明】
【技術分野】
【０００１】本発明は電気化学に基礎を置き、その応用で金属、その他一般の酸化、還元反応の半反応の組み合わせで半永久的に使える電池に関する物である。
【背景技術】
【０００２】金属を塩水にしたし、溶出してくる金属イオンと、液中の水、及び溶存酸素の働きで作動し、塩水が液中の電気電導度を増す事から電流及び電圧が発生し電力源となる。
【発明の開示】
【発明が解決しようとする課題】
【０００３】
【０００４】この発明が解決しようとする課題はいかにして自然界に存在する力を利用して電気力として利用するかという点にある。
【課題を解決する為の手段】
【０００５】ここでは水中への金属の溶出及び一般の電池の半反応の組み合わせを利用した。
【発明の効果】
【０００６】この電池によって半永久電池が出来た。
【発明を実施する為の最良の形態】
【０００７】銅版、鉄板の形でもって電流値を大きくする事ができる。
【実施例１】
【０００８】図１に示す構造の電池に依って、数ヶ月の間、電圧０．７５ボルト、電流４５ミリアンペアの電力を発生し続けた。
【産業上の利用可能性】
【０００９】太陽光発電等自然エネルギ−を利用した発電はあるけれど、これとても天候に左右され、この意味では定常的でほぼ無尽蔵の電源として価値ある装置と思われる。
【図面の簡単な説明】
【００１０】
【図１】図１は請求項１の電池の電力源として、鉄板、銅版、塩水等の酸化還元反応を利用して作った半永久電池の立面図である。
【符号の説明】
【００１１】▲１▼プラスチック等セル
▲２▼食塩水
▲３▼鉄板
▲４▼銅板
▲５▼リ−ド線
▲６▼テスタ−、ボルトメ−タ−、アンペアメ−タ−等、又は負荷
【図１】
2007073493.tif 000003
(57)【要約】【課題】  名刺などの印刷媒体に、二次元バーコードを付して、住所や電話番号などの文字列情報だけでなく、顔写真や地図などの画像情報も記憶することができるようにして、データベースに保管して、データを簡単に配信することができる情報配信サービシステムの提供にある。【解決手段】  印刷媒体に配された二次元バーコードの記憶情報をインターネットアドレスと名刺本人を識別できるドメインアドレスだけに抑えて、カメラ付携帯電話の情報を読み取るバーコードリーダと、該バーコードリーダによって読み取られたバーコード情報を、携帯電話端末へ表示させる、情報配信サービスシステム。【選択図】  図３
2007073016.tif 000002
【特許請求の範囲】
【請求項１】
印刷媒体に配された二次元バーコードから情報を読み取るカメラ付携帯電話のバーコードリーダと、該バーコードによって読み取られたバーコード情報を、携帯電話画面に表示するための最適化画像データとして処理するデータ装置とを備え、該データ処理装置によって解析された上記画像データを管理するためのデータ管理手段を備えている事を特徴とする二次元バーコードを利用した情報配信サービスシステム。
【請求項２】
印刷媒体に配された二次元バーコードの記憶情報をインターネントアドレスと名刺本人を識別できるドメインアドレスだけに抑えて、カメラ付携帯電話の情報を読み取るバーコードリーダと、該バーコードリーダによって読み取られたバーコード情報を、携帯電話端末へ表示させる、情報配信サービスシステム。
【発明の詳細な説明】
【技術分野】
【０００１】  本発明は、名刺などの印刷媒体に、二次元バーコードを付して、二次元バーコードから情報を読み出して住所などの文字や顔写真、地図などの画像を記録し管理するようにした、情報配信サービスシステムの改良に関する。
【背景技術】
【０００２】  一般に、名刺や印刷媒体に利用されている二次元バーコードは住所や電話番号であり、顔写真の表示はなく、名刺を後で見ても、顔と名刺情報が一致しない場合が多い。【０００３】  また、従来のコンピュータ画面から地図情報の入手法は印刷して持ち歩いたのが一般的であった
【発明の開示】
【発明が解決しようとする課題】
【０００４】  従来の二次元バーコードを利用した名刺情報配信に、顔写真を取り込み、二次元バーコードで読み込んだ時、名刺と本人確認がいつでも可能する。【０００５】  従来の地図情報画面は既成の情報を取り込んだものであり、携帯電話画面には不適サイズの為、非常に分かり難い。
【課題を解決するための手段】
【０００６】  上記に述べた地図情報は、独自地図を作成し、地図情報や画像をデータベースに取り込み、データベースで携帯電話画面に最適の表示法で鮮明に表示させる。【０００７】  従来の、二次元バーコードを利用した名刺情報配信に、顔写真を取り込み、データベースで管理し、二次元バーコードで読み込んだ時、名刺と本人確認がいつでも可能する。【０００８】  印刷媒体に配された二次元バーコードの記憶情報をインターネットアドレスとドメインアドレスだけに抑えて、二次元コードのサイズを最小化する。
【発明の効果】
【０００８】  地図情報が携帯画面で鮮明に表示され判り易くなった。道案内情報を付け携帯画面で現地まで簡単にアクセスできる。【０００９】  従来の、二次元バーコードを利用した名刺情報配信に、顔写真をデータベースに取り込み、二次元バーコードで読み込んだ時点で名刺と本人確認がいつでも可能とした。
【産業上の利用可能性】
【００１０】  名刺は人間だけでなく、ペットにも利用が可能である。その為この情報配信サービスシステムは生き物の固有を識別する方法として採用が可能である。【００１１】  名刺情報配信サービスに顔写真を表示させるとこにより、営業用として顧客とのコミュニケーションが図りやすい。【００１２】  上記二次元バーコードの利用は名刺、チラシ、パンフレット、掲示板、案内状又は会社情報誌等、印刷媒体のいずれかに付し、二次元バーコードリーダを利用可能にした情報配信サービスシステムである。【００１３】  独自に作成した地図情報は、イベント会場、展示場、引越し情報その他様々の案内地図情報として、印刷媒体、コンピュータ画面へ二次元バーコードを利用して可能である。
【図面の簡単な説明】
【００１４】
【図１】名刺付された二次元バーコード
【図２】コンピュータに付された地図情報と二次元バーコード
【図３】カメラ付携帯電話
【図１】
2007073016.tif 000003
【図２】
2007073016.tif 000004
【図３】
2007073016.tif 000005
(57)【要約】【課題】  多層回路基板又はウエハーにおいて、孔径２５ミクロン以下、アスペクト比５以上の微細孔でも完全に液状粘性材料又は低融点合金の溶融物を充填できる方法である。【解決手段】  多層回路基板又はウエハーに設けられた貫通孔又は非貫通孔に充填材を充填する方法であって、前記充填材を真空雰囲気下で前記多層回路基板又はウエハー上に孔版印刷した後、雰囲気を大気圧又は大気圧を超える圧力にして差圧充填すると共に、孔版印刷過程及び差圧充填過程を通じて前記多層回路基板又はウエハーに超音波振動を与える。充填材としては液状粘性材料、低融点合金粉末、又は低融点合金溶融物などが挙げられる。【選択図】  図３
2007073918.tif 000002
【特許請求の範囲】
【請求項１】
多層回路基板又はウエハーに設けられた貫通孔又は非貫通孔に充填材を充填する方法であって、前記充填材を真空雰囲気下で前記多層回路基板又はウエハー上に孔版印刷した後、雰囲気を大気圧又は大気圧を超える圧力にして差圧充填すると共に、孔版印刷過程及び差圧充填過程を通じて前記多層回路基板又はウエハーに超音波振動を与えることを特徴とする充填材の充填方法。
【請求項２】
充填材が、液状粘性材料、低融点合金粉末及び低融点合金溶融物の中から選ばれたものである請求項１に記載の充填方法。
【請求項３】
真空雰囲気の圧力が１０パスカル（Ｐａ）以下である請求項１に記載の充填方法。
【請求項４】
多層回路基板又はウエハーに設けられた貫通孔又は非貫通孔に液状粘性材料又は低融点合金の溶融物を孔版印刷する厚さが前記貫通孔又は非貫通孔の深さに相当する厚さである請求項１に記載の充填方法。
【請求項５】
真空雰囲気下での孔版印刷と大気圧又は大気圧を超える圧力下での差圧充填及び超音波振動付与を繰り返すことよりなる請求項１に記載の充填方法。
【請求項６】
液状粘性材料がが導電性ペーストである請求項２に記載の充填方法。
【発明の詳細な説明】
【技術分野】
【０００１】  本発明は、多層回路基板又はウエハーに設けられた貫通孔又は非貫通孔に充填材を充填する方法に関するものである。充填材としては、液状粘性材料、低融点合金粉末又は低融点合金溶融物などが挙げられる。
【背景技術】
【０００２】  多層回路基板又はウエハーに設けられた貫通孔又は非貫通孔に導電性ペーストや絶縁性樹脂ペースト等の液状粘性材料を充填させることは公知である。例えば特開平１１−２９８１３８号公報には  多層回路基板の貫通孔又は非貫通孔に液状粘性材料を充填せしめる方法において、前記液状粘性材料を真空雰囲気下で前記回路基板上に孔版印刷した後、前記真空雰囲気の真空度を低下せしめるか若しくは前記真空雰囲気を通常の大気圧雰囲気にせしめて差圧充填を行うことを特徴とする液状粘性材料の充填方法（請求項１）が開示されている。
【特許文献１】特許第３１９８２７３号公報
【発明の開示】
【発明の効果】
【０００３】  孔径が小さくアスペクト比が大きい貫通孔又は非貫通孔の底部まで液状粘性材料又は低融点合金の溶融物が充填された多層回路基板又はウエハーが得られる。
【発明が解決しようとする課題】
【０００４】  特開平１１−２９８１３８号公報記載の発明が行われた時点（１９９８年）においては、多層回路基板の貫通孔又は非貫通孔の孔径は５０μｍ程度、孔の深さ／孔の直径比（Ｌ／Ｄ比：アスペクト比）は２〜３程度であった。しかし最近では孔径２５ミクロン以下、アスペクト比５以上を要求されるようになり、公知の方法では未充填部分、特に非貫通孔の底部での未充填部分が残り易く問題になっている。本発明はかかる問題を解決することを目的とする。
【課題を解決するための手段】
【０００５】  本発明は、多層回路基板又はウエハーに設けられた貫通孔又は非貫通孔に充填材を充填する方法であって、前記充填材を真空雰囲気下で前記多層回路基板又はウエハー上に孔版印刷した後、雰囲気を大気圧又は大気圧を超える圧力にして差圧充填すると共に、孔版印刷過程及び差圧充填過程を通じて前記多層回路基板又はウエハーに超音波振動を与えることを特徴とする。
【発明を実施するための最良の形態】
【０００６】  充填材としては、液状粘性材料、低融点合金粉末、又は低融点合金溶融物などが挙げられる。【０００７】  真空雰囲気の圧力は１０パスカル（Ｐａ）以下、なるべくは１パスカルであることが望ましい。また多層回路基板又はウエハーに設けられた貫通孔又は非貫通孔に充填材を孔版印刷する厚さは前記貫通孔又は非貫通孔の深さに相当する厚さであることが望ましい。孔径が非常に小さい場合、或いはアスペクト比が非常に大きい場合など、１回の操作で孔が液状粘性材料又は低融点合金の溶融物で完全に満たされない場合は、多層回路基板又はウエハーに超音波振動を与えつつ、真空雰囲気下での孔版印刷と大気圧又は大気圧を超える圧力下での差圧充填を繰り返しても良い。
【実施例１】
【０００８】  孔径約２３μｍ、孔の深さ約１６７μｍ、アスペクト比約７の非貫通孔を設けた基板に超音波振動（５５〜６６ＫＨｚ）を与えつつ０．２Ｐａの真空雰囲気下で導電性ペーストを孔版印刷した。次いでこれを大気圧の雰囲気下に置き、引き続き５分間超音波振動（５５〜６６ＫＨｚ）を与えて導電性ペーストを差圧充填し、最終的に加熱して導電性ペーストを固定した（実施例１）。切断面の顕微鏡写真を図１に示す。非貫通孔の底部まで完全に充填されている。実施例１と同じ操作を基板に超音波振動を与えずに行った結果（比較例１）の切断面の顕微鏡写真を図２に示す。非貫通孔の底部まで完全に充填されず、約１７μｍの空隙（全深さ１６７μｍの約９分の１）が残った。なお添付図面の右下に記載されたスケールは５０ミクロンである。
【実施例２】
【０００９】  実施例１に記載した基板に超音波振動を与えながら真空雰囲気下での孔版印刷と大気圧雰囲気下での差圧充填と言う操作を２回繰り返してから、基板を加熱して導電性ペーストを固定した（実施例２）。切断面の拡大写真を図３に示す。非貫通孔の底部まで完全に充填されている。実施例２と同じ操作を基板に超音波振動を与えずに行った結果（比較例２）の切断面の拡大写真を図４に示す。非貫通孔の底部まで完全に充填されず、約５μｍの空隙（全深さ約１６７μｍの約３３分の１）が残った。
【実施例３】
【００１０】  錫金属主体の低融点ハンダ合金粉末（融点２３０℃、平均粒径５μｍ）を充填材として用いた以外は実施例１と同様な方法で基板の非貫通孔に粉末を充填し、充填後２５０℃に加熱してハンダ合金を溶融し最後に冷却して固定した。切断面を顕微鏡観察したところ非貫通孔の底部まで完全に充填されていた。実施例２と同じ操作を基板に超音波振動を与えずに行った場合は非貫通孔の底部まで完全に充填されてはいなかった。
【図面の簡単な説明】
【００１１】
【図１】  本発明の実施例１により得られた充填物の断面の顕微鏡写真
【図２】  本発明の比較例１により得られた充填物の断面の顕微鏡写真
【図３】  本発明の実施例１により得られた充填物の断面の顕微鏡写真
【図４】  本発明の比較例２により得られた充填物の断面の顕微鏡写真
【図１】
2007073918.tif 000003
【図２】
2007073918.tif 000004
【図３】
2007073918.tif 000005
【図４】
2007073918.tif 000006
(57)【要約】【課題】非衛生的になりがちな台所シンクの三角コーナーに変わる、市販されている水切り袋や紙パックを用いて使い捨てにできて、清掃等の手間をとらない台所のシンクに置く生ゴミ入れを提供する。【解決手段】生ゴミ入れとなる市販の水切り袋３を、シンクのコーナー側面の壁に吸盤５で固定する支持具本体となるフレーム１にクリップ２で挟んでコーナーに固定しておくもので、生ゴミを入れて廃棄するのは３のみとなるが、三角コーナーのカゴの部分が無いために清掃等の手間をとらない生ゴミ入れとすることができる。また、３の口が開きっぱなしでシンクの邪魔にならないよう、袋の口を開閉可能とする袋とじロック４がクリップ上部中央に付いている。【選択図】図２
2007204233.tif 000002
【特許請求の範囲】
【請求項１】
台所シンクのコーナーに取り付ける生ゴミ入れの機能を、シンクのコーナーに沿ったカーブを描くフレームと、シンクのコーナーの壁にフレームを固定するための吸盤と、生ゴミを入れる部位となり使い捨てできる市販の水切り袋と、水切り袋をフレームの上部に挟んで止めるクリップによって構成されていること、水切り袋や紙パックの口を開閉可能とする袋とじロックがクリップ上部中央に付いていることを特徴とするコーナー水切り袋支持具。
【発明の詳細な説明】
【技術分野】
【０００１】
本発明は、台所シンクのコーナーに取り付ける生ゴミ入れに関するものである。
【背景技術】
【０００２】
台所シンクに置いたり取り付けたりする三角コーナーと呼ばれる生ゴミ入れは、三角形のカゴのような形態をしたものが多く、生ゴミを捨てる時に手間がかからないようにすることと、掃除を楽にするというような理由からカゴの中に水切り袋や紙パックなどを入れて使用するなどの工夫をして使用したりしている。
【０００３】
三角コーナーは上記のような使用をしても本体自体が非衛生的になりがちで、放置したままだと悪臭やヌメリが付くため、小まめに清掃や除菌処理をしなければならないところが問題点である。
【０００４】
そのためヌメリ防止や悪臭防止のための工夫をしているものや商品もいろいろ出ているが、三角コーナー自体を使い捨てにして特許や実用新案を申請したものなどもある。
【０００５】
本発明で使い捨てにするのは市販されている水切り袋や紙パックの部分とし、ただ水切り袋や紙パックだけをシンクに置いた状態ではシンクの中の空間を無駄に使い邪魔になることを防ぐため、シンクのコーナー側面の壁に吸盤で固定するフレームに水切り袋や紙パックをクリップで挟んで止めてコーナーに固定する支持具を本体としている。
【０００６】
また、これだけでは水切り袋や紙パックの口を閉じることができず、生ゴミを入れて容積が増えれば袋の口は大きく開き、シンクの中でやはり邪魔になってしまうため、水切り袋や紙パックの口を開閉可能とする袋とじロックをクリップ上部中央に付けた。
【特許文献１】登録実用新案第３１１５９２１号公報
【発明の開示】
【発明が解決しようとする課題】
【０００７】
解決しようとする問題点は、非衛生的になりがちな台所シンクの三角コーナーに変わる、市販されている水切り袋や紙パックを用いて使い捨てにでき、清掃等の手間をとらない台所のシンクに置く生ゴミ入れを提供することである。
【課題を解決するための手段】
【０００８】
本発明は、生ゴミ入れとなる水切り袋や紙パックを、シンクのコーナー側面の壁に吸盤で固定する支持具本体となるフレームにクリップで挟んでコーナーに固定しておくもので、生ゴミを入れて処分するのは水切り袋や紙パックのみとなるが、カゴの部分が無いために清掃等の手間をとらない生ゴミ入れとすることができ、課題を解決するための手段となる。
【発明の効果】
【０００９】
本発明は、上記の手段によって、市販されている水切り袋や紙パックを使用することで経済性が良く、生ゴミを入れて処分するのも水切り袋や紙パックのみで三角コーナーのようなカゴが無いため、清掃等の手間をとらない。
【００１０】
また、袋の口を開閉可能とする袋とじロックをクリップ上部中央に付けることで、水切り袋や紙パックの口が開きっぱなしとならず、シンクの中で邪魔になるようなことがないようにしている。
【発明を実施するための最良の形態】
【００１１】
台所のシンクのコーナーに沿ったカーブを描くフレームと、シンクのコーナーの壁にフレームを固定するための吸盤と、生ゴミの入れ物をフレームの上部に挟んで止めるクリップによって構成し、使い捨てする生ゴミの入れ物は市販の水切り袋や紙パックとする。また、水切り袋や紙パックの口を開閉可能とする袋とじロックがクリップ上部中央に付いている形態であること。
【実施例１】
【００１２】
図１は本発明の１実施例を構成する部品を示した構成図で、１はフレーム、２はクリップ、３は水切り袋、４は袋とじロック、５は吸盤である。
【００１３】
本発明の１実施例は上記の如き部位で構成され、まず１を５によって台所のシンクのコーナーに固定しておき、３を１に引っ掛けた後、２をその上から１に差し込む形で３を鋏み入れることで図２の如きセッティングが完了する。
【００１４】
３に生ゴミを入れてゆき、生ゴミが溜まって廃棄する場合は、３の内容物の水気を切り、２を１から引き上げて３のみを取り出し廃棄する。
【００１５】
図３に示す如く、３の口を閉じたい場合は４で３の口を挟んで閉じることができる。
【産業上の利用可能性】
【００１６】
家庭で使う台所のシンクに設置する生ゴミ入れとして使う。
【図面の簡単な説明】
【００１７】
【図１】コーナー水切り袋支持具を構成する部品を示した構成図である。（実施例１）
【図２】上記図１の部品を組み立ててセッティングしたところを示した構成図である。（実施例１）
【図３】符号３の口を符号４で挟んで閉じたところを示した図である。（実施例１）
【符号の説明】
【００１８】
１  フレーム
２  クリップ
３  市販の水切り袋または紙パック
４  袋とじロック
５  吸盤
【図１】
2007204233.tif 000003
【図２】
2007204233.tif 000004
【図３】
2007204233.tif 000005